(57)【要約】【課題】特にアクセサリー付ストラップを設置したランジェリーで、下着であると同時に装飾性も兼ね備えたアクセサリー付ランジェリーを提供する。      【解決手段】アクセサリー付ランジェリーは、主に対のカップ体を含み、カップ体両側からバックストラップが伸びる。更にバックストラップ両端は連結部が設置されて相互に連結する。肩ストラップ両端は、各々肩ストラップ及びカップ体に連結する。装飾紐両端は、各々ブラジャーの適所にそれぞれ設置され、装飾紐の適所には適する長さのアクセサリーが設置される。このランジェリーを着用すると、アクセサリーが外に露出し、ネックレスを着用しているのと同じになる。【選択図】図１  
0003103658.tif 000002
【実用新案登録請求の範囲】
【請求項１】
ランジェリー本体に装飾紐を連結し、この装飾紐にアクセサリーを設け、ランジェリーに装飾機能を付与したことを特徴とするアクセサリー付ランジェリー。
【請求項２】
前記ランジェリー本体は、一対のカップ体を含み、このカップ体両側からバックストラップが伸び、バックストラップの両端には各々連結部が設置されて相互に連結し、また肩ストラップ両端はそれぞれバックストラップ及びカップ体に連結して構成され、前記アクセサリーはその両端が各々前記ブラジャー本体の適所に連結されていることを特徴とする請求項１に記載のアクセサリー付ランジェリー。
【請求項３】
前記装飾紐は、両端がそれぞれ肩ストラップに連結されることを特徴とする請求項２に記載のアクセサリー付ランジェリー。
【請求項４】
前記ランジェリー本体は、一対のカップ体を含み、このカップ体両側からバックストラップが伸び、バックストラップの両端には各々連結部が設定されて相互に連結されて構成され、前記アクセサリーはその両端が各々前記ブラジャー本体の適所に連結されていることを特徴とする請求項２に記載のアクセサリー付ランジェリー。
【請求項５】
前記装飾紐は、各々カップ体の左右両側に設置され、この装飾紐がカップ体下方の円弧形状に延びて設置されることを特徴とする請求項２ないし４のいずれか一つに記載のアクセサリー付ランジェリー。
【請求項６】
前記ランジェリー本体は、ショーツ本体から構成され、このショーツ本体の適所に空き部分が形成され、この空き部分の上方に装飾紐が設置され、この装飾紐の適所に適する長さのアクセサリーが設置されていることを特徴とする請求項１に記載のアクセサリー付ランジェリー。
【請求項７】
前記空き部分は、ショーツ本体の前方適所に設置されていることを特徴とする請求項６記載のアクセサリー付ランジェリー。
【請求項８】
前記空き部分は、ショーツ本体の後方適所に設置されていることを特徴とする請求項６記載のアクセサリー付ランジェリー。
【請求項９】
前記ショーツ本体は、その前後両方に空き部分が形成されることを特徴とする請求項６記載のアクセサリー付ランジェリー。
【考案の詳細な説明】
【技術分野】
【０００１】
本考案は、アクセサリー付ランジェリーに係り、特にアクセサリー付ストラップを設置したランジェリーであり、下着であると同時に装飾性をも兼ね備えたアクセサリー付ランジェリーに関する。
【背景技術】
【０００２】
ある公知のブラジャーは、一対のカップ両側からバックストラップへ伸び、且つバックストラップの両端には各々連結するホックが設置されてそれを相互に連結している。前記肩ストラップの両端は、各々バックストラップ及びカップに連結している。前記は、最も一般的なブラジャーの外観であるが、ブラジャーの主な機能は乳房を持ち上げて、女性の胸が最も美しい形になるようにするものである。女性は、一般に乳房を集中させ、高くすることを望んでいる。このため、これまでは、このような機能性を研究したものが主で、下着としての用途を突破したものは少なかった。
【０００３】
しかしながら、近年各種の異なる機能を備えた下着が提供されてきており、香り付きの下着（台湾実用新案公示第５２６７１４号）はその一例であるが、次々と新しい機能を備えたものが提供され、女性のニーズを追及している。
【特許文献１】台湾実用新案公示第５２６７１４号
【考案の開示】
【考案が解決しようとする課題】
【０００４】
解決しようとする問題点は、前述した下着としての機能だけでなく、装飾性もも兼ね備えたランジェリーを提供することである。
【課題を解決するための手段】
【０００５】
本考案のアクセサリー付ランジェリーは、ランジェリー本体に装飾紐を連結し、この装飾紐にアクセサリーを設け、ランジェリーに装飾機能を付与したことを特徴とする。
【０００６】
本考案のアクセサリー付ランジェリーにおいて、前記ランジェリー本体は、一対のカップ体を含み、このカップ体両側からバックストラップが伸び、バックストラップの両端には各々連結部が設置されて相互に連結し、また肩ストラップ両端はそれぞれバックストラップ及びカップ体に連結して構成され、前記アクセサリーはその両端が各々前記ブラジャー本体の適所に連結されていることを特徴とする。
【０００７】
本考案のアクセサリー付ランジェリーにおいて、前記ランジェリー本体は、ショーツ本体から構成され、このショーツ本体の適所に空き部分が形成され、この空き部分の上方に装飾紐が設置され、この装飾紐の適所に適する長さのアクセサリーが設置されていることを特徴とする。
【考案の効果】
【０００８】
本考案のアクセサリー付ランジェリーは、アクセサリーをランジェリー、例えばショーツ、ブラジャーの適する位置に連接することによって、上下衣類を身に着けた時、そのアクセサリーが外に露出し、例えばブラジャーの場合にはネックレスを着けている装飾効果を有するという利点がある。
【考案を実施するための最良の形態】
【０００９】
以下、図面を参照して実施例を説明する。
【実施例１】
【００１０】
図１に示すとおり、本考案の実施例１は、ブラジャー本体１０及び装飾紐２０、アクセサリー２１から構成されている。前記ブラジャー本体１０には、一対のカップ体１１を含み、カップ体１１両側からバックストラップ１２が伸び、且つバックストラップ１２両端には各々連結部１３が設置されて相互に連結している。前記肩ストラップ１４の両端は、各々バックストラップ１２及びカップ体１１にて連結されている。
【００１１】
前記装飾紐２０の両端は、それぞれブラジャー本体１０の適所に連結され、その装飾紐２０の適所には適する長さに調節されたアクセサリー２１が設置され、これによって着用した時、装飾紐２０のアクセサリー２１が外部に露出し、普通に首につけたアクセサリーとして使用することが可能となる。
【００１２】
図２に示すとおり、この装飾紐２０の両端は、各々二本の肩ストラップ１４の適所に連接されている。それによって、着用して上に衣服を着けた時、このアクセサリー２１が設置された装飾紐２０が外部に露出し、首に着けている状態になる。
【００１３】
女性が本考案の実施例１におけるアクセサリー付ランジェリーを着用した時、この装飾紐２０の位置はちょうど胸の前に来るようになっており、普通のネックレスを着用した位置と同じになり、上に衣服を着た時、装飾紐２０のアクセサリー２１が露出し、図１４から図１６に示すとおり、ランジェリー機能と同時に装飾効果を兼ね備えるものである。
【００１４】
また、前記装飾紐２０には別の効果があり、この装飾紐２０によって肩ストラップを引っぱり、肩ストラップが適する位置に固定され、肩ストラップのずれ落ちを防止することができる。
【実施例２】
【００１５】
図３は本考案の実施例２を示し、装飾紐２０を肩ストラップ１４の異なる位置に設置したものである。このようにすることによって着用した時、実施例１とは異なる効果がある。実施例２のブラジャーを着用した後、前記装飾紐２０を背中につけ、バックの開いた服を着ると、図１６に示すような装飾効果を得ることができる。
【実施例３】
【００１６】
図４は本考案の実施例３を示し、この実施例では、装飾紐２０の両端は各々カップ体１１の左右両側に設置され、カップ体１１の円弧形まで伸びるている。また、カップ体１１下方の円弧形線上に設置することにより、美観が備わり、透明の衣服を着たとき、アクセサリー２１が透けて見える。また、本実施例でも胸の開いた服を着ることによって、アクセサリー２１が外に露出し、アクセサリー効果を有する。
【００１７】
図は、肩ストラップが異なる形態のものであり、ブラジャーを着用すると、肩ストラップが背中でＸ形になる。一般の平行な肩ストラップのものに比べて背中の開いた服を着た場合、より個性的になる。
【実施例４】
【００１８】
図６は本考案の実施例４であり、この実施例では装飾紐２０の両端はカップ体１１の内側端適所に連結され、この設置方式によって、下着と外着の合わせがより魅力的になる。
【００１９】
次に本考案の装飾紐をショーツに適用した実施例について説明する。即ち、このショーツの実施例では、ショーツ本体３０を含み、このショーツ本体３０の適所に空き部分３１を形成し、この空き部分３１上方に装飾紐２０が設置される。そして、この装飾紐２０の適する位置に適する長さのアクセサリー２１が設置され、ショーツの機能の他に装飾性を備えるものである。
【実施例５】
【００２０】
図７，８，９は本考案の実施例５であり、前記空き部分３１はショーツ本体３０の前方適所に成形されている。この実施例のショーツを着用すると、ショーツはビキニ形になり、装飾日もが臍に位置し、アクセサリー２１が外側に露出することになる。
【実施例６】
【００２１】
本考案の実施例６は、図８，１１，１２に示すとおり、空き部分３２上方に装飾紐２０及びアクセサリー２１を設置する。この実施例のショーツを着用し、腰の低いパンツを着用すると、前記装飾紐２０は腰後部に位置されてアクセサリー２１が外に露出することになる。
【実施例７】
【００２２】
本考案の実施例７は図１３に示すとおり、ショーツの前後に空き部分３３を成形し、二つの空き部分３３上方に装飾紐２０を設置している。この装飾紐２０上には、適する長さのアクセサリー２１が設置されている。この実施例では、前後に装飾紐２０が設置されているため、腰前後に装飾性のあるアクセサリー２１が露出することになる。
【図面の簡単な説明】
【００２３】
【図１】本考案の実施例１の外観斜視図である。
【図２】実施例１を異なる位置から見た外観図である。
【図３】本考案の実施例２を示す正面図である。
【図４】本考案の実施例３を示す正面図である。
【図５】本考案の別種の肩ストラップ形態を示す背面図である。
【図６】本考案の実施例４を示す正面図である。
【図７】本考案の実施例５を示す斜視図である。
【図８】本考案の実施例６を示す斜視図である。
【図９】図７を示す正面図である。
【図１０】図９の局部拡大図である。
【図１１】図８の正面図である。
【図１２】図１１の局部拡大図である。
【図１３】本考案の実施例７を示す斜視図である。
【図１４】使用状態を示す説明図である。
【図１５】使用状態を示す説明図である。
【図１６】使用状態を示す説明図である。
【符号の説明】
【００２４】
１０        ブラジャー本体
１１        カップ体
１２        バックストラップ
１３        連結部
１４        肩ストラップ
２０        装飾紐
２１        アクセサリー
３０        ショーツ
３１        空き部分
３２        空き部分
代理人  弁理士    伊藤  進
【図１】
0003103658.tif 000003
【図２】
0003103658.tif 000004
【図３】
0003103658.tif 000005
【図４】
0003103658.tif 000006
【図５】
0003103658.tif 000007
【図６】
0003103658.tif 000008
【図７】
0003103658.tif 000009
【図８】
0003103658.tif 000010
【図９】
0003103658.tif 000011
【図１０】
0003103658.tif 000012
【図１１】
0003103658.tif 000013
【図１２】
0003103658.tif 000014
【図１３】
0003103658.tif 000015
【図１４】
0003103658.tif 000016
【図１５】
0003103658.tif 000017
【図１６】
0003103658.tif 000018